(57)【特許請求の範囲】
【請求項１】
外観部を構成する外箱と、
前記外箱に内設され、貯蔵庫となる内箱と、
前記外箱と前記内箱との間の空間部に配置された電気配線と、
前記空間部に配置される真空断熱材と、
前記空間部に充填される発泡断熱材と、を備える冷蔵庫において、
前記内箱は、
側面と背面とが交わる稜線に面取部を備え、
前記真空断熱材は、
前記内箱の前記背面及び前記面取部の前記外箱を向いた面に固定され、
前記電気配線は、
前記内箱の前記面取部に固定された前記真空断熱材の前記外箱側の面に配置される、冷蔵庫。
【請求項２】
前記真空断熱材は、
前記電気配線が配置された面側に前記電気配線を収める溝形状を有する、請求項１に記載の冷蔵庫。
【発明の詳細な説明】
【技術分野】
【０００１】
本発明は、冷蔵庫に関し、特に電気配線の配置に関するものである。
【背景技術】
【０００２】
従来の冷蔵庫は、食品等の貯蔵庫となる本体と本体前面に開閉する扉を備える。本体は、冷蔵庫の外観を構成する外箱と、外箱に内設され冷蔵庫の貯蔵庫となる内箱が備えている。外箱と内箱の間の空間部には、電気配線と真空断熱材とが配され、空間部の残りの部分には発泡断熱材が充填されている。【０００３】
例えば、特許文献１に開示されている技術においては、電気配線は、内箱の一部に凹部を設けて固定されている（例えば、特許文献１の図１などを参照）。【０００４】
例えば、特許文献２に開示されている技術においては、電気配線は、内箱の背面と側面とが交わるコーナー部に溝形状が形成されて、そこに固定されている（例えば、特許文献２の図１などを参照）。
【先行技術文献】
【特許文献】
【０００５】
【特許文献１】特開平０７−２７００６１号公報
【特許文献２】特開２００６−１６２１４４号公報
【発明の概要】
【発明が解決しようとする課題】
【０００６】
しかし、特許文献１に開示されている技術のように、電気配線を内箱の一部に凹部を設けて固定した場合であっても、発泡断熱材が内箱と外箱の間全体に行き渡るようにするには、発泡断熱材の流路に一定以上のクリアランス（隙間）を確保する必要がある。内箱に電気配線を配置し、その外側に真空断熱材を配するとクリアランスの狭い領域ができ、発泡断熱材がまわりきらない箇所が発生するため、本体の強度が弱くなるという課題があった。【０００７】
また、特許文献２に開示されている技術のように、内箱背面角部に凹部を設け、そこに電気配線を固定していることで、冷蔵庫の背面側に配置する真空断熱材を内箱背面角部の面取に沿わせて配することができないため、背面の真空断熱材と側面の真空断熱材との距離が遠くなるので、冷蔵庫の断熱性能が悪くなるという課題があった。【０００８】
本発明は、上記のような課題を解決するためになされたもので、内箱の背面側と側面側との交わる面取部に沿って真空断熱材を配し、発泡断熱材充填時の流動性を確保しつつ、冷蔵庫背面側の断熱性能を確保することができる冷蔵庫を提供することを目的とする。
【課題を解決するための手段】
【０００９】
本発明に係る冷蔵庫は、外観部を構成する外箱と、前記外箱に内設され、貯蔵庫となる内箱と、前記外箱と前記内箱との間の空間部に配置された電気配線と、前記空間部に配置される真空断熱材と、前記空間部に充填される発泡断熱材と、を備える冷蔵庫において、前記内箱は、側面と背面とが交わる稜線に面取部を備え、前記真空断熱材は、前記内箱の前記背面及び前記面取部の前記外箱を向いた面に固定され、前記電気配線は、前記内箱の前記面取部に固定された前記真空断熱材の前記外箱側の面に配置される。
【発明の効果】
【００１０】
本発明によれば、真空断熱材を内箱の背面側と側面側の交わる面取部に沿って配し、その外側に電気配線を固定することによって、発泡断熱材の充填時に発泡充填剤の回り込みを阻害しないように配置できるため、内箱と外箱との間に隙間なく発泡断熱材を充填することができる。また、背面の真空断熱材を内箱の背面側と側面側との交わる面取部に沿って配することで、側面側の真空断熱材と背面側の真空断熱材の距離を可能な限り近付けることができるため、断熱性能を良くすることができる。
【図面の簡単な説明】
【００１１】
【図１】実施の形態１に係る冷蔵庫の外観図である。
【図２】図１の冷蔵庫の垂直断面（Ａ−Ａ）を表した図である。
【図３】図１の冷蔵庫の水平断面（Ｂ−Ｂ）を表した図であって背面側部分を表示した図である。
【図４】実施の形態１に係る冷蔵庫の背面斜視図である。
【図５】実施の形態１に係る冷蔵庫の背面真空断熱材の電気配線の配置面の断面形状を表した図である。
【発明を実施するための形態】
【００１２】
実施の形態１．
本実施の形態を添付図面を参照して説明する。
図１は、実施の形態１に係る冷蔵庫の外観図である。冷蔵庫は、食品等の貯蔵庫となる本体１０と本体１０の前面を閉塞し、開閉可能な扉１１を備える。扉１１は、冷蔵庫の仕様により、複数の扉が備えられており、本実施の形態においては、扉１１ａ〜１１ｆの６枚の扉が備えられている。
図２は、図１の冷蔵庫の垂直断面（Ａ−Ａ）を表した図である。冷蔵庫の本体１０の内部は、各貯蔵室に分割されている。冷蔵庫下部の貯蔵室の後ろ側（冷蔵庫の背面側）には、各貯蔵室内を冷却するための冷却器１４と、冷却器１４で冷却した空気を各貯蔵室に送るための送風機１３と、圧縮機１５とが備えられている。また、冷蔵庫上部の貯蔵室の後ろ側には制御基板１２が配置されている。制御基板１２と送風機１３及び圧縮機１５等は、後述する電気配線５により接続されている。制御基板１２は、庫内温度や圧縮機１５の回転数などの各種制御を行う。
【００１３】
図３は、実施の形態１に係る冷蔵庫の水平断面（Ｂ−Ｂ）を表した図であって背面側部分を表示した図である。
本体１０は、冷蔵庫の外観を構成する外箱２と、外箱２に内設され食品等を貯蔵する内箱１が備えられている。
外箱２は、側面板金２ａと背面板金２ｂから構成されている。外箱２に内設された内箱１と外箱２との間の空間部には、電気配線５と、空間部の側面側に配された側面真空断熱材３と、空間部の背面側に配された背面真空断熱材４とが配置されている。また、空間部において、側面真空断熱材３、背面真空断熱材４及び電気配線５以外の空間には発泡断熱材が充填されている。空間部に配置された側面真空断熱材３、背面真空断熱材４及び発泡断熱材により、冷蔵庫は本体１０の内部の断熱性能を確保するものである。
【００１４】
外箱２は、側面板金２ａの内壁に側面真空断熱材３が固定されている。側面真空断熱材３は、発泡断熱材を充填する際の流動性を確保できるように、内箱１と側面真空断熱材３との間に隙間を空けて配置されている。
【００１５】
内箱１は、側面と背面とが交わる稜線となる部分に面取部８が形成されている。
背面真空断熱材４は、内箱１の背面と面取部８に沿って配置されており、内箱１との空間ができないように固定されている。背面真空断熱材４と外箱２の背面板金２ｂとの間は、発泡断熱材充填時に発泡断熱材の流動性を確保できるように、所定の隙間を空けてある。内箱１の面取部８に沿って固定されている背面真空断熱材４の外箱側の面に電気配線５が配置されている。電気配線５は、発泡断熱材充填時に発泡断熱材の流動性を確保できるように、外箱２の内壁との間に所定の隙間を空けて配置されている。本実施の形態においては、例えば、背面真空断熱材４の背面よりも電気配線５が背面側に突出しないように配置されている。
【００１６】
図４は、実施の形態１に係る冷蔵庫の背面斜視図である。図２においては外箱２は、省略されて表示されており、内箱１に背面真空断熱材４と及び電気配線５が配置されている図となっている。電気配線５は発泡断熱材の発泡圧により動くことが無いように電気配線固定用テープ６により、背面真空断熱材４に固定されている。
【００１７】
従来技術では、内箱１の面取部８に電気配線５を配置しており、面取部８に真空断熱材を配置することができず、側面真空断熱材３と背面真空断熱材４との間に距離が生じ断熱性能の悪化を招いていた。
しかし、本実施の形態に示されるように、背面真空断熱材４の外箱側の面に電気配線５を配置することによって、内箱１の面取部８にも背面真空断熱材４を配置することができる。さらに、背面真空断熱材４の両側側面の端面４ａと側面真空断熱材３とは、冷蔵庫の側面側から見たときに重なるように配置されている。これにより、側面真空断熱材３と背面真空断熱材４との隙間が小さくなり、側面真空断熱材３と背面真空断熱材４との間の距離が最小限になるように構成することができ、断熱性能を悪化させることなく電気配線５を配置することができる。
【００１８】
また、本実施の形態に示されるように、電気配線５を配置することにより、発泡断熱材を充填する際に必要な隙間を確保しているため、外箱と内箱との間の空間部を小さく抑えつつ充填時の発泡断熱材の回り込みを可能にすることができるため、充填不良による冷蔵庫本体の強度低下や、断熱性能の低下を抑制しつつ、冷蔵庫内容積を大きくとることができる。
【００１９】
図５は、実施の形態１に係る冷蔵庫の背面真空断熱材４の電気配線５の配置面の断面形状を表した図である。背面真空断熱材４の電気配線５を配置する部分に、電気配線を這わせるためのへこみ形状（溝形状）を設けても良い。
この形状により、電気配線５の背面真空断熱材４への固定が強固になり、発泡断熱材を充填する際の流動により固定が外れるのを抑えることができる。
【符号の説明】
【００２０】
１  内箱、２  外箱、２ａ  側面板金、２ｂ  背面板金、３  側面真空断熱材、４  背面真空断熱材、４ａ  端面、５  電気配線、６  電気配線固定用テープ、８  面取部、１０  本体、１１  扉、１１ａ  扉、１１ｂ  扉、１１ｃ  扉、１１ｄ  扉、１１ｅ  扉、１１ｆ  扉、１２  制御基板、１３  送風機、１４  冷却機、１５  圧縮機。
【図１】
0006465960.tif 000002
【図２】
0006465960.tif 000003
【図３】
0006465960.tif 000004
【図４】
0006465960.tif 000005
【図５】
0006465960.tif 000006